(57)【要約】【課題】使い切った内容物を補充可能な包装用容器に使用される中栓、及び当該中栓を備えた包装容器を提供する。【解決手段】円筒形の口部を有する包装容器本体に対し、当該口部の内周面に形成した雌ネジ又は雄ネジを介して係脱可能な中栓であって、前記中栓は、天面部に内容物を排出するための排出孔を有する筒状体であり、下部外周に、前記包装容器本体の雌ネジ又は雄ネジと係合する雄ネジ又は雌ネジを有し、上部外周に、外キャップを係合するための係合手段が設けられている。【選択図】図１
0003225778.tif 000002
【実用新案登録請求の範囲】
【請求項１】
円筒形の口部を有する包装容器本体に対し、当該口部の内周面に形成した雌ネジ又は雄ネジを介して係脱可能な中栓であって、
前記中栓は、
天面部に内容物を排出するための排出孔を有する筒状体であり、
下部外周に、前記包装容器本体の雌ネジ又は雄ネジと係合する雄ネジ又は雌ネジを有し、
上部外周に、外キャップを係合するための係合手段が設けられている、
ことを特徴とする包装容器用の中栓。
【請求項２】
前記係合手段は、前記外キャップを圧入係合する手段である、
ことを特徴とする請求項１に記載の包装容器用の中栓。
【請求項３】
前記係合手段は、前記外キャップをネジ式に係合する手段である、
ことを特徴とする請求項１に記載の包装容器用の中栓。
【請求項４】
前記外キャップをネジ式に係合する手段のネジ方向は、前記包装容器本体の前記口部に有する雄ネジ又は雌ネジの方向に対して逆方向である、
ことを特徴とする請求項３に記載の包装容器用の中栓。
【請求項５】
前記ネジ式に係合する手段は、前記上部外周の複数個所に設けられた係合凸部である、
ことを特徴とする請求項３又は４に記載の包装容器用の中栓。
【請求項６】
前記係合凸部は、断面円形、又は断面楕円形、又は角の丸い断面多角形である、
ことを特徴とする請求項５に記載の包装容器用の中栓。
【請求項７】
前記上部外周に、外キャップの位置決めを行うための位置決め凸部が少なくとも１カ所に設けられている、
ことを特徴とする請求項１ないし６のいずれか１項に記載の包装容器用の中栓。
【請求項８】
前記中栓の内面に、少なくとも1本の縦リブが設けられている、
ことを特徴とする請求項１ないし７のいずれか１項に記載の包装容器用の中栓。
【請求項９】
前記中栓の前記上部外周と前記下部外周との間に、径方向に突出し、前記包装容器本体の前記口部の開口に当接し、かつ前記外キャップの下端が当接する環状リブが設けられている、
ことを特徴とする請求項１ないし８のいずれか１項に記載の包装容器用の中栓。
【請求項１０】
前記位置決め凸部は、前記環状リブの上面に突出形成されている、
ことを特徴とする請求項９に記載の包装容器用の中栓。
【請求項１１】
前記中栓の前記下部外周に形成される前記雄ネジ又は前記雌ネジの上方位置及び／又は下方位置に、前記包装容器本体の前記口部の内面に当接する環状凸部が設けられている、
ことを特徴とする請求項１ないし１０のいずれか１項に記載の包装容器用の中栓。
【請求項１２】
円筒形の口部を有する包装容器本体と、当該口部の内周面に形成した雌ネジ又は雄ネジを介して前記包装容器本体に係脱可能な中栓と、前記中栓に係脱可能な円筒形の外キャップと、を備えた包装用容器であって、
前記中栓は、請求項１ないし１１のいずれか１項に記載の中栓であり、
前記外キャップは、内周面に前記中栓の前記係合手段と係合する他方係合手段を有し、かつ天面の内側に前記中栓の前記排出孔を密封する栓部を有する、
ことを特徴とする包装容器。
【請求項１３】
前記中栓の前記係合手段が前記ネジ式に係合する手段である場合、前記外キャップの前記他方係合手段は雌ネジである、
ことを特徴とする請求項１２に記載の包装容器。
【請求項１４】
前記包装容器本体の前記口部の前記内周側に雌ネジが、前記中栓の前記下部外周に雄ネジが形成される場合、当該雌ネジと当該雄ネジのいずれか一方、又は両方の一部に膨出部が設けられている、
ことを特徴とする請求項１２又は１３に記載の包装容器。
【請求項１５】
前記中栓に、前記外キャップの位置決めを行うための前記位置決め凸部が設けられている場合、前記外キャップには、前記位置決め凸部を弾性的に乗り越える乗越リブが設けられている、
ことを特徴とする請求項１２ないし１４のいずれか１項に記載の包装容器。
【請求項１６】
前記外キャップには、前記乗越リブの側方に、前記位置決め凸部と当接して前記外キャップの回転位置を規制するストッパーが設けられている、
ことを特徴とする請求項１５に記載の包装容器。
【請求項１７】
前記包装容器本体と前記中栓との係合力は、前記中栓と前記外キャップとの係合力よりも強い、
ことを特徴とする請求項１２ないし１６のいずれか１項に記載の包装容器。
【考案の詳細な説明】
【技術分野】
【０００１】
本考案は、使い切った内容物を補充可能な包装用容器に使用される中栓、及び当該中栓を備えた包装容器に関する。
【背景技術】
【０００２】
液体化粧品や液体調味料等を内部に収容する包装容器には、内容物を使い切った際に中栓を取り外して内容物を補充することができるものがある（特許文献１、特許文献２参照）。
【０００３】
このような包装容器の中栓は、包装容器の口部と螺合係合しているため着脱が容易である一方、中栓は包装容器の口部外側を覆うように係合されているため、内容物を補充しやすいように包装容器の口部内径を大きくしようとすると、中栓の外径はそれより更に大きくなってしまい、包装容器全体のバランスが悪くなる。これに対し、包装容器全体のバランスを考慮して中栓の外径を大きくなり過ぎないように調整すると、包装容器の口部内径が小さくなってしまい、内容物の補充作業がやりづらくなる問題が生じてしまう。
【０００４】
また、使用者が中栓を取り外す際には中栓の外周を摘まんでネジ係合を緩める必要があるが、特許文献１、特許文献２に記載の従来技術は、中栓と外キャップがネジ係合しているため、使用者の指は中栓のネジ山が回転方向に当たるために滑りやすく、更に、包装容器の口部外側にネジが現れるため見た目が悪い（外観が悪い）とともに、内容物を抽出した際に誤って内容物が流れ出た場合、液体がネジに付着してネジの凹部に入り込み、拭き取り清掃を必要とし、面倒であると言う問題があった。
【先行技術文献】
【特許文献】
【０００５】
【特許文献１】実開平７−３３８６１号公報
【特許文献２】特開２０１１−２５１７３９号公報
【考案の概要】
【考案が解決しようとする課題】
【０００６】
本考案は、包装容器本体に対して中栓の着脱が容易で、内容物の補充がし易く、また包装容器の口部外側にネジ構造が現れないため見た目がすっきりと美しくなるとともに、内容物がこぼれ出た際の容器の拭き取り清掃が容易となる中栓、及び当該中栓を備えた包装容器を提供することを目的とする。
【課題を解決するための手段】
【０００７】
上記目的を達成するため、本願の第一の考案は、円筒形の口部を有する包装容器本体に対し、当該口部の内周面に形成した雌ネジ又は雄ネジを介して係脱可能な中栓であって、前記中栓は、天面部に内容物を排出するための排出孔を有する筒状体であり、下部外周に、前記包装容器本体の雌ネジ又は雄ネジと係合する雄ネジ又は雌ネジを有し、上部外周に、外キャップを係合するための係合手段が設けられている、ことを特徴とする。
【０００８】
さらに、本願の第二の考案は、円筒形の口部を有する包装容器本体と、当該口部の内周面に形成した雌ネジ又は雄ネジを介して前記包装容器本体に係脱可能な中栓と、前記中栓に係脱可能な円筒形の外キャップと、を備えた包装用容器であって、前記中栓は、上記第一の考案に係る中栓であり、前記外キャップは、内周面に前記中栓の前記係合手段と係合する他方係合手段を有し、かつ天面の内側に前記中栓の前記排出孔を密封する栓部を有する、ことを特徴とする。
【考案の効果】
【０００９】
本考案によれば、包装容器本体の口部内面側にネジ構造を設けることで、口部外側に中栓とのネジを有する従来構造と比べて、美しくすっきりとした口部を構成することができ、かつ包装容器の口部内径を広くすることで、内容物の補充を容易に行うことができる。
【００１０】
また、本考案によれば、包装容器本体の口部に中栓を係合させた状態であっても、口部の外周面にネジ構造の凹凸が無いため、内容物が口部の外周面に流れ出たとしても、拭き取り清掃を容易に行うことができる。
【図面の簡単な説明】
【００１１】
【図１】本願考案に係る包装容器の全体図及び断面図
【図２】外キャップの側面図、断面図、底面図
【図３】中栓の断面図及び底面図
【図４】中栓の実施形態１を示す図
【図５】中栓の実施形態２を示す図
【図６】中栓の実施形態３を示す図
【図７】中栓の実施形態４を示す図
【図８】中栓の実施形態５を示す図
【図９】中栓の実施形態６を示す図
【図１０】中栓の実施形態７を示す図
【考案を実施するための最良の形態】
【００１２】
以下、本願考案の実施形態につき、図面を参照しながら詳細に説明する。
図１は、包装容器本体１、外キャップ２、中栓３によって構成される包装容器の全体外観図、及び断面図である。
【００１３】
図示のごとく、包装容器本体１はその上部に円筒形の口部１１を有し、当該口部１１の内周面には雌ネジが形成されており、当該雌ネジを介して中栓３が包装容器本体１に対して係脱可能に係合されており、また中栓３には外キャップ３が係脱可能に係合している。
【００１４】
図２は、外キャップ２の側面図、断面図、底面図を示す図であり、外キャップ２の天面の内側中央には、中栓３の排出孔（後述）を封鎖して密封する栓部２３が突出形成されている。また、外キャップ２の内周面２１には、中栓３に形成される係合凸部（後述）に係合する雌ネジ２２が形成されている。
【００１５】
さらに、外キャップ２の内周面の下部には、中栓に形成する位置決め凸部（後述）を弾性的に乗り越える乗越リブ２４が設けられており、さらに乗越リブ２４の側方には、上記位置決め凸部と当接して外キャップ３の回転位置を規制するためのストッパー２５が設けられている。
【００１６】
図３は、中栓３の断面図及び底面図である。中栓３は、全体として筒状体であり、その天面部に内容物を排出するための排出孔３３を有し、下部外周には包装容器本体１の雌ネジと係合する雄ネジが形成され、また上部外周には外キャップを係合するための係合凸部３２（係合手段）が設けられている。
【００１７】
中栓３の上部外周と下部外周との間（境目）には、筒状体の径方向外側に突出する環状リブ３６が形成されており、図１に示すとおり、当該環状リブ３６の下面は包装容器本体１の口部１１の先端に当接して封鎖し、当該環状リブ３６の上面は外キャップ２の下端に当接するようになっている。
【００１８】
また、環状リブ３６の上面には、外キャップ２をネジ込んだ際の位置決め凸部３４が形成されている。
【００１９】
さらに中栓３の内周面には、縦方向に２本の縦リブ３５が形成されており、当該縦リブ３５によって中栓３の剛性が向上すると共に、中栓３に外キャップ２を係合させる際に、冶具等で縦リブ３５を保持すれば外キャップ２と中栓３とを容易かつしっかりと固定することができる。なお、縦リブ３５は少なくとも１本あれば良く、その数、形成する位置は特に限定されない。
【００２０】
上記実施形態において、中栓３の下部外周には、包装容器本体１の口部に形成された雌ネジに対して係合するように雄ネジを形成する例を示したが、包装容器本体１の口部に雄ネジを形成し、当該雄ネジに対して雌ネジで係合するようにしても良い。
【００２１】
上記のとおり、包装容器本体１と中栓３は、互いに雄ネジと雌ネジの関係で強固にネジ係合する一方、外キャップ２と中栓３は、雌ネジと凸部の関係で係合するため、包装容器本体１と中栓３とのネジ係合力は、中栓３と外キャップ２との係合力よりも強く設定することができ、外キャップ２を回して外す際に、中栓３が供回りして包装容器本体１から外れてしまうことを防止することができる。
【００２２】
さらに、包装容器本体１と中栓３とのネジ方向と、中栓３と外キャップ２とのネジ方向を逆にすれば、外キャップ２を回して外す際に、中栓３が供回りして包装容器本体１から外れてしまうことを確実に防止することができる。
【００２３】
なお、外キャップ２と中栓３は、ネジ式による係合ではなく、外キャップの内側面と中栓３の外側面とによる圧入式であっても良い。圧入式にした場合、中栓３の共回りをより防止することができる。
【００２４】
図４〜１０は、中栓３の構造に係る実施形態１〜７を示す図である。
図４は実施形態１の構造を示したものであり、断面円形の係合凸部３２が、互いに１８０度反対方向に２カ所設けられ、位置決め凸部３４が１カ所だけ設けられている。また雄ネジ３１の一部には膨出部３７が形成されており、包装容器本体１の口部１１の内面に形成された雌ネジと強固にネジ係合できるようになっている。さらに、雄ネジ３１の上方位置には、包装容器本体１の口部１１の内周面と密着する環状凸部３８が設けられている。この構成によれば、包装容器本体１に対する中栓の密封性を更に向上させることが出来る。なお、膨出部３７は、容器本体１の口部１１の内面に形成された雌ネジに形成しても良く、また雄ネジ及び雌ネジの両方に形成しても良い。 
【００２５】
図５は実施形態２の構造を示す図であり、実施形態１との相違は、図示するように断面円形の係合凸部３２が、互いに９０度の間隔を持って４カ所設けられ、位置決め凸部３４が互いに１８０度反対方向に２カ所設けられている点である。この構成によれば、中栓３に対する外キャップ２の係合がより容易になるとともに、外キャップ２の位置決めも確実にすることができる。
【００２６】
図６は実施形態３の構造を示す図であり、実施形態１との相違は、図示するように係合凸部３２の断面形状が楕円形であり、外キャップ２の雌ネジの傾斜に沿って斜めになっている点である。この構成によれば中栓３に対する外キャップ２の係合がより容易になる。
【００２７】
図７は実施形態４の構造を示す図であり、実施形態３との相違は、図示するように係合凸部３２の断面形状が４つの頂点が円弧状になった平行四辺形であり、外キャップ２の雌ネジの傾斜に沿って斜めに形成されている点である。この構成によれば中栓３に対する外キャップ２の係合がより容易になるとともに、係合凸部３２の強度を高め、外部応力によって容易に破損してしまうことを防止することができる。
【００２８】
図８は実施形態５の構造を示す図であり、実施形態１との相違は、図示するように断面円形の係合凸部３２が、互いに１２０度の間隔を持って３カ所に設けられており、そのうち２カ所の係合凸部３２には、ネジ方向の傾斜面が形成されている点である。この構成によれば、中栓３に対する外キャップ２の係合がより容易になる。
【００２９】
図９は実施形態６の構造を示す図であり、実施形態１との相違は、図示するように互いに１８０度反対方向に設けられている断面円形の係合凸部３２が、それぞれ上下２段に設けられており、合計４カ所に係合凸部３２が形成されている点である。この構成によれば、中栓３に対する外キャップ２の係合がより容易になるとともに、外キャップ２のガタつきをより抑えることができる。
【００３０】
図１０は実施形態７の構造を示す図であり、実施形態１との相違は、図示するように環状凸部３８が雄ネジ３１の上方位置及び下方位置の２カ所に形成されている点である。この構成によれば、包装容器本体１の口部１１の内周面との密封性を更に向上させることができる。
【００３１】
上記各実施形態で説明したように、係合凸部３２の形状及び設置個所数、位置決め凸部３４の設置個所数、環状凸部３８の設置個所数は、それぞれ適宜に選択・設計することができ、特に限定されない。
【００３２】
以上、本考案に係る包装容器によれば、包装容器本体１から中栓３を取り外し、または包装容器本体１に中栓３を取り付ける際、従来構造では中栓外周に形成されたネジを指で摘んで回転させる必要があるため、ネジ山と回転方向が同じ方向となり、思うように中栓３を回転させることができなかったが、本考案の中栓３は、包装容器本体１の口部から突出した位置にある係合凸部、及び／又は位置決め凸部に指をひっかけることによって、容易に回転させることができる。
【００３３】
また、中栓の係合凸部と外キャップの雌ネジとの係合による場合、中栓３から外キャップ２を取り外す際、従来のネジによる係合に比べて、係合凸部と雌ネジとの接触面積が小さい分摩擦抵抗が小さく、外キャップの取り外しが容易で、かつ中栓の供回りを防止することができる。
【００３４】
また中栓３と外キャップ２を係合した状態で、中栓３と外キャップ２が相互に回動しないように中栓３及び外キャップ２に位置決め構造が設けられているため、先に中栓３と外キャップ２を係合した状態のものを作成しておき、包装容器本体１へ内容物を充填後、中栓３と外キャップ２との係合品を包装容器本体１に装着するだけで包装容器の密封が完了でき、作業工程の削減に貢献できる。
【符号の説明】
【００３５】
１  包装容器本体
２  外キャップ
３  中栓
１１  口部
２１  外キャプの内周面
２２  雌ネジ
２３  栓部
２４  乗越リブ
２５  ストッパー
３１  雄ネジ
３２  係合凸部
３３  排出口
３４  位置決め凸部
３５  縦リブ
３６  環状リブ
３７  膨出部
３８  環状凸部
【図１】
0003225778.tif 000003
【図２】
0003225778.tif 000004
【図３】
0003225778.tif 000005
【図４】
0003225778.tif 000006
【図５】
0003225778.tif 000007
【図６】
0003225778.tif 000008
【図７】
0003225778.tif 000009
【図８】
0003225778.tif 000010
【図９】
0003225778.tif 000011
【図１０】
0003225778.tif 000012